(57)【特許請求の範囲】
【請求項１】
音波を電気信号に変換して出力するマイクロホンと、入力された電気信号を音波に変換して出力するスピーカと、前記マイクロホンで変換された電気信号を外部に出力するように該マイクロホンに一端が接続された出力信号線と、前記入力された電気信号を前記スピーカに入力するように該スピーカに一端が接続された２本の電気的に独立した入力信号線とを有する電話機であって、前記出力信号線および前記入力信号線が所定間隔を隔てて並設されている電話機において、
前記２本の入力信号線のうち前記出力信号線から近い位置に設けられている方の入力信号線における前記一端とは反対側の他端に接続されて、前記入力された電気信号を増幅して前記他端に出力する第１の増幅器と、
前記２本の入力信号線のうち前記出力信号線から遠い位置に設けられている方の入力信号線における前記一端とは反対側の他端に接続されて、前記入力された電気信号を前記第１の増幅器による増幅率よりも高い増幅率で逆極性に増幅して前記他端に出力する第２の増幅器と
を備えたことを特徴とする電話機。
【請求項２】
前記出力信号線から遠い位置に設けられている方の入力信号線による前記出力信号線に対する電磁気的クロストーク波形の振幅の絶対値と、前記出力信号線から近い位置に設けられている方の入力信号線による前記出力信号線に対する電磁気的クロストーク波形の振幅の絶対値とが略同じ振幅となるように、前記第１の増幅器による増幅率と前記第２の増幅器による増幅率とを設定してなることを特徴とする請求項１に記載の電話機。
【請求項３】
音波を電気信号に変換して出力するマイクロホンと、入力された電気信号を音波に変換して出力するスピーカと、前記マイクロホンで変換された電気信号を外部に出力するように該マイクロホンに一端が接続された出力信号線と、前記入力された電気信号を前記スピーカに入力するように該スピーカに一端が接続された２本の電気的に独立した入力信号線とを有して前記出力信号線および前記入力信号線が所定間隔を隔てて並設されている電話機に用いられるエコーキャンセル回路であって、
前記２本の入力信号線のうち前記出力信号線から近い位置に設けられている方の入力信号線における前記一端とは反対側の他端に接続されて、前記入力された電気信号を増幅して前記他端に出力する第１の増幅器と、
前記２本の入力信号線のうち前記出力信号線から遠い位置に設けられている方の入力信号線における前記一端とは反対側の他端に接続されて、前記入力された電気信号を前記第１の増幅器による増幅率よりも高い増幅率で逆極性に増幅して前記他端に出力する第２の増幅器と
を備えたことを特徴とするエコーキャンセル回路。
【請求項４】
前記出力信号線から遠い位置に設けられている方の入力信号線による前記出力信号線に対する電磁気的クロストーク波形の振幅の絶対値と、前記出力信号線から近い位置に設けられている方の入力信号線による前記出力信号線に対する電磁気的クロストーク波形の振幅の絶対値とが略同じ振幅となるように、前記第１の増幅器による増幅率と前記第２の増幅器による増幅率とを設定してなることを特徴とする請求項３に記載のエコーキャンセル回路。
【請求項５】
電話機または通信機器のハンドセットのマイクロホンで変換された電気信号を外部に出力するように該マイクロホンに一端が接続された出力信号線と、外部から入力された電気信号を前記ハンドセットのスピーカに入力するように該スピーカに一端が接続された２本の電気的に独立した入力信号線とを有するハンドセット用信号線であって、前記出力信号線および前記入力信号線が所定間隔を隔てて並設されているハンドセット用信号線において、
前記２本の入力信号線のうち前記出力信号線から近い位置に設けられている方の入力信号線における前記一端とは反対側の他端に接続されて、前記入力された電気信号を増幅して前記他端に出力する第１の増幅器と、
前記２本の入力信号線のうち前記出力信号線から遠い位置に設けられている方の入力信号線における前記一端とは反対側の他端に接続されて、前記入力された電気信号を前記第１の増幅器による増幅率よりも高い増幅率で逆極性に増幅して前記他端に出力する第２の増幅器と
を備えたことを特徴とするハンドセット用信号線。
【請求項６】
前記出力信号線から遠い位置に設けられている方の入力信号線による前記出力信号線に対する電磁気的クロストーク波形の振幅の絶対値と、前記出力信号線から近い位置に設けられている方の入力信号線による前記出力信号線に対する電磁気的クロストーク波形の振幅の絶対値とが略同じ振幅となるように、前記第１の増幅器による増幅率と前記第２の増幅器による増幅率とを設定してなることを特徴とする請求項５に記載のハンドセット用信号線。
【発明の詳細な説明】
【０００１】
【発明の属する技術分野】
本発明は電話機およびそれに用いられるエコーキャンセル回路ならびにハンドセット用信号線に関する。
【０００２】
【従来の技術】
電話回線等の通信回線を介して外部との通信を行う電話機では、電話機本体で一旦授受した入力信号や出力信号を、一般に４本の信号線を並列して束ねたいわゆるカールコードあるいは接続配線コードを介して、マイクロホンおよびスピーカを備えたハンドセットに伝送している。また電話機の他にも、ファクシミリやパソコンのインターネット用モデム装置のような通信機器においても、電話機本体との間で通信すべき情報を担持してなる電気信号の授受を上記同様のカールコードあるいは接続配線コードを用いて行うように設定されている場合もある。
【０００３】
このような電話機等におけるカールコードを中心とした電気的な回路構成は図４に一例を模式的に示すようなものが一般的である。すなわち、カールコード１１０は、ハンドセット１００に設けられているマイクロホン１２０の２つの出力端子１２１ａ，１２１ｂのそれぞれに１本ずつが各々接続された合計２本の出力信号線１３０ａ，１３０ｂと、スピーカ１４０の２つの入力端子１４１ａ，１４１ｂのそれぞれに１本ずつが各々接続された合計２本の入力信号線１５０ａ，１５０ｂとが、互いに電気的に独立するように被覆材１６０等で絶縁されて所定の間隔を隔てて並行に配線されている。
【０００４】
なお、一般にカールコード１１０は、その名の示すごとく螺旋状に巻かれたような形状となっていることが多いが、ほぼ偏平な帯状絶縁基材に４本の信号線１３０ａ，１３０ｂ，１５０ａ，１５０ｂを互いに平行に配線したものもある。しかしいずれにしても、２本の出力信号線１３０ａ，１３０ｂと２本の入力信号線１５０ａ，１５０ｂとの合計４本の信号線が所定の間隔を隔てて並行に束ねられた状態に設けられているという基本的な構造は同じである。また、そのような合計４本の信号線の間隔や外形寸法、およびその各信号線の配列順序（位置関係）は一般に規格化されており、殆どのカールコード１１０はその規格に準拠したパターンで形成されている。
【０００５】
スピーカ１４０に接続された２本の入力信号線１５０ａ，１５０ｂのうちの１本の入力信号線１５０ｂは、そのスピーカ１４０の入力端子１４１ｂに接続された一端とは反対側の他端が接地されており、残りの１本の入力信号線１５０ａにおけるスピーカ１４０の入力端子１４１ａに接続された一端とは反対側の他端には増幅器１７０が接続されていて、外部から電話回線（図示省略）を通って伝送されて来た音声情報等を担持してなる電気信号を増幅してスピーカ１４０に向けて送出するように設定されている。これら２本の入力信号線１５０ａ，１５０ｂは一般に、前記の規格に基づいて互いに隣り合うように配列されている。
【０００６】
また、マイクロホン１２０に接続された２本の出力信号線１３０ａ，１３０ｂのうちの１本である出力信号線１３０ｂは、そのマイクロホン１２０の出力端子１２１ｂに接続された一端とは反対側の他端が接地されており、残りの１本の出力信号線１３０ａにおけるマイクロホン１２０の出力端子１２１ａに接続された一端とは反対側の他端には増幅器１８０が接続されていて、マイクロホン１２０で変換された音声情報等を担持してなる電気信号を増幅してこのハンドセット１００およびカールコード１１０の外部へと送出するように設定されている。この２本の出力信号線１３０ａ，１３０ｂは、隣り合うように配列された２本の入力信号線１５０ａ，１５０ｂの外側からそれらを挟むように配列されている。すなわち図中上から順に、出力信号線１３０ａ，入力信号線１５０ａ，入力信号線１５０ｂ，出力信号線１３０ｂの順に隣り合うように配列されている。
【０００７】
このようなカールコード１１０（あるいは接続配線コード）をハンドセット１００に接続して用いることにより、そのコードの長さの許す範囲内でハンドセット１１０を自由に移動して通話や通信機器等の接続ができるという利点が得られることは周知の通りである。
【０００８】
【発明が解決しようとする課題】
カールコード１１０内の４本の信号線すなわち２本の出力信号線１３０ａ，１３０ｂおよび２本の入力信号線１５０ａ，１５０ｂは一般に、互いに電気的に絶縁されていても、ほぼ平行に近接して配列されているので、特に電気信号のパルス波形の振幅が大きい出力信号線１３０ａと入力信号線１５０ａとの間で、図４中に模式的に示したように容量結合１９０が生じ、これに起因していわゆるクロストークあるいは電磁気的漏洩が発生する。
【０００９】
カールコード１１０の被覆材の材質によっては、ある程度の電磁気的遮蔽が可能となる場合もあるが、距離が極めて近い出力信号線１３０ａと入力信号線１５０ａとの間での電磁気的なクロストークを完全に防ぐことは困難であることは言うまでもない。特に磁気的な漏洩を完全に遮蔽することは理論的に不可能であり、磁気的シールド高価の極めて高い特殊な材質の被覆材を用いることも考えられるが、コスト高となるので実用的ではない。しかも通信信号の高周波数化がますます進む傾向にあるので、そのような高周波数の電気信号による電磁気的なクロストークを被覆材のみで遮蔽することはますます困難となる傾向にある。
【００１０】
上記のようなクロストークが出力信号線１３０ａと入力信号線１５０ａとの間で発生しても、マイクロホン１２０から出力信号線１３０ａを介して送出される電気信号のクロストークに起因した雑音が自分のハンドセット１００のスピーカ１４０から自分の耳に聞こえてきても本人がそのとき発している音声との間での遅延は殆ど無いので、実用上無視することができる。
【００１１】
また一般に、市内通話のような近距離間の通信などでは、通話伝送経路における伝達遅延が殆どないので、ハンドセット１００で通話相手側から送信されて来た音声信号が出力信号線１３０ａから入力信号線１５０ａにクロストークしても気にならない。つまり、通話相手のハンドセットのスピーカへエコーとして出力されたとしても、市内通話のような近距離間の通信などではそのエコーのタイミングと通話相手の肉声のタイミングとの伝達遅延が僅かであるため、出力信号線１３０ａと入力信号線１５０ａとの間でのクロストークに起因したエコーは殆ど問題ない場合が多い。
【００１２】
しかしながら、例えば国際電話や、音声パケットによりイーサネット回線あるいはインターネット回線等のネットワークを経由した通話、通信の場合には、長距離であることや、パケットの伝送遅延によって、人間が伝送遅延と関知できる程度以上の遅延時間である５００ｍｓｅｃ若しくはそれ以上の伝送遅延が通話伝送経路中で生じる場合が生じる。従って、自分の音声が、通話相手側のハンドセットで生じるクロストークによって、感知できる程度の遅れで戻り、顕著なエコーとなるという問題が生じた。
【００１３】
このような問題を解決することを企図して、例えば特開平５−８３７５３号公報には、ネットワークと接続する交換システム内（例えばホスト交換器など）に、通話回路での伝送遅延を予測してエコーをキャンセルするように動作するエコーキャンセル回路を設けるという技術などが提案されているが、このようなエコーキャンセル回路では、エコーの発生を常に監視しつつ実際に発生した際にそれをキャンセルするという煩雑な動作を行うものであるため、その回路構成自体が煩雑で高価なものとなっていた。しかも交換システム内の通話回路ごとにそのようなエコーキャンセル回路を設けなくてはならないので、実際には交換システムの回路構成をほぼ全面的に改造しなければならなくなるなど、大掛りな改造が必要となって、それに要するコストも極めて高くなるという問題がある。
【００１４】
また、単に国際通話と言っても、実際にはその通話距離や回線経路に使用されている増幅器等種々の条件によって伝達遅延時間が大きく異なるので、その通話条件の如何によっては、エコーキャンセル回路に好適なものとしてあらかじめ設定されているゲインや遅延補償などの各種設定が、実際に発生している伝送遅延やエコーに対してずれたものとなってしまい、エコーキャンセル効果が十分には得られないという問題もある。しかもそのような設定の最適化を行うためには、エコーキャンセル回路がさらに繁雑化するので、装置の簡易化からは益々外れてしまうことになる。
【００１５】
本発明はかかる問題点に鑑みて成されたもので、その目的は、上記のような繁雑な手法に依ることなく、極めて簡易かつ低コストな手法によって、カールコード内でのクロストークおよび通話回線経路中での伝達遅延に起因したエコーの発生を解消することを可能とする電話機およびそれに用いられるエコーキャンセル回路ならびにハンドセット用信号線を提供することにある。
【００１６】
【課題を解決するための手段】
本発明による電話機は、音波を電気信号に変換して出力するマイクロホンと、入力された電気信号を音波に変換して出力するスピーカと、前記マイクロホンで変換された電気信号を外部に出力するように該マイクロホンに一端が接続された出力信号線と、前記入力された電気信号を前記スピーカに入力するように該スピーカに一端が接続された２本の電気的に独立した入力信号線とを有する電話機であって、前記出力信号線および前記入力信号線が所定間隔を隔てて並設されている電話機において、前記２本の入力信号線のうち前記出力信号線から近い位置に設けられている方の入力信号線における前記一端とは反対側の他端に接続されて、前記入力された電気信号を増幅して前記他端に出力する第１の増幅器と、前記２本の入力信号線のうち前記出力信号線から遠い位置に設けられている方の入力信号線における前記一端とは反対側の他端に接続されて、前記入力された電気信号を前記第１の増幅器による増幅率よりも高い増幅率で逆極性に増幅して前記他端に出力する第２の増幅器とを備えている。
【００１７】
また、本発明によるエコーキャンセル回路は、音波を電気信号に変換して出力するマイクロホンと、入力された電気信号を音波に変換して出力するスピーカと、前記マイクロホンで変換された電気信号を外部に出力するように該マイクロホンに一端が接続された出力信号線と、前記入力された電気信号を前記スピーカに入力するように該スピーカに一端が接続された２本の電気的に独立した入力信号線とを有して前記出力信号線および前記入力信号線が所定間隔を隔てて並設されている電話機に用いられるエコーキャンセル回路であって、前記２本の入力信号線のうち前記出力信号線から近い位置に設けられている方の入力信号線における前記一端とは反対側の他端に接続されて前記入力された電気信号を増幅して前記他端に出力する第１の増幅器と、前記２本の入力信号線のうち前記出力信号線から遠い位置に設けられている方の入力信号線における前記一端とは反対側の他端に接続されて、前記入力された電気信号を、前記第１の増幅器による増幅率よりも高い増幅率で逆極性に増幅して前記他端に出力する第２の増幅器とを備えている。
【００１８】
また、本発明によるハンドセット用信号線は、電話機または通信機器のハンドセットのマイクロホンで変換された電気信号を外部に出力するように該マイクロホンに一端が接続された出力信号線と、外部から入力された電気信号を前記ハンドセットのスピーカに入力するように該スピーカに一端が接続された２本の電気的に独立した入力信号線とを有するハンドセット用信号線であって、前記出力信号線および前記入力信号線が所定間隔を隔てて並設されているハンドセット用信号線において、前記２本の入力信号線のうち前記出力信号線から近い位置に設けられている方の入力信号線における前記一端とは反対側の他端に接続されて、前記入力された電気信号を増幅して前記他端に出力する第１の増幅器と、前記２本の入力信号線のうち前記出力信号線から遠い位置に設けられている方の入力信号線における前記一端とは反対側の他端に接続されて、前記入力された電気信号を前記第１の増幅器による増幅率よりも高い増幅率で逆極性に増幅して前記他端に出力する第２の増幅器とを備えている。
【００１９】
なお、前記出力信号線から遠い位置に設けられている方の入力信号線による前記出力信号線に対する電磁気的クロストーク波形の振幅の絶対値と、前記出力信号線から近い位置に設けられている方の入力信号線による前記出力信号線に対する電磁気的クロストーク波形の振幅の絶対値とが略同じ振幅となるように、前記第１の増幅器による増幅率と前記第２の増幅器による増幅率とを設定することは好ましい態様である。
【００２０】
本発明による電話機およびそれに用いられるエコーキャンセル回路ならびにハンドセット用信号線では、第２の増幅器が、入力信号を第１の増幅器による増幅率よりも高い増幅率で逆極性に増幅する。これにより、２本の入力信号線のうち出力信号線から遠い位置に設けられている方の入力信号線に入力される電気信号の振幅（絶対値）を、それよりも近い位置に設けられている方の入力信号線に入力される電気信号の振幅（絶対値）よりも大きくすると共に、その両者の電気信号波形の極性を逆極性にしているので、それら２本の入力信号線のそれぞれから出力信号線の信号波形に対して与えられる電磁気的クロストークが互いに打ち消し合うこととなる。このように２本の入力信号線から出力信号線に対して及ぼされるクロストーク波形を互いに逆極性にして重畳することによって、入力信号線と出力信号線との間での電磁気的クロストークを解消する。
【００２１】
しかも、１つのスピーカの入力端子に接続された２本の入力信号線のそれぞれに入力される電気信号波形は振幅が異なっているが互いに逆極性であるので、その１つのスピーカに入力される入力波形の増幅率を実質的に増加させたのと同じ状態となり、通話音声等がさらに聞き取りやすいものとなる。
【００２２】
また、入力信号線から出力信号線に対するクロストークの発生原因そのものである入力信号線に印加される信号波形を用いて、クロストーク自体をその発生現場である信号線にて実質的に解消するように回路構成が設定されているので、電話機が接続される通話回線系の伝送遅延特性等の諸条件がどのようなものであっても、そのような通話回線系の諸条件に関わらず常に有効なエコーキャンセルを達成することが可能である。
【００２３】
しかも、上記のような機能は、スピーカに接続された２本の入力信号線に増幅器を接続するという、極めて簡易な回路構成によって達成可能である。
【００２４】
【発明の実施の形態】
以下、本発明の実施の形態を図面に基づいて詳細に説明する。
【００２５】
図１は、本発明の一実施の形態に係る電話機の概要構成を示すもので、特にそのハンドセットおよびカールコードの部分を中心として模式的に示している。なお、図１では、図示および説明の繁雑化を避けるためにハンドセットおよびカールコードの部分を特に抽出して示しているが、この電話機はダイヤル装置等を有する電話機本体等をさらに備えたものであることはいうまでもない。
【００２６】
この電話機は、ハンドセット１０内に設けられたマイクロホン１およびスピーカ２と、マイクロホン１に一端が接続された２本の出力信号線３ａ，３ｂおよびスピーカ２に一端が接続された２本の入力信号線４ａ，４ｂが統一規格に基づいて所定の間隔を隔ててほぼ平行に配列されたカールコード５と、入力信号線４ａに所定の増幅率で電気信号を増幅して出力するように接続された第１の増幅器６と、第１の増幅器６による増幅率よりも高い増幅率である３倍の増幅率で電気信号を増幅しその波形の極性を逆極性にして入力信号線４ｂに出力する第２の増幅器７と、出力信号線３ａに接続された出力増幅器９とを備えている。
【００２７】
マイクロホン１は、このハンドセット１０を用いて通話を行うユーザの音声等の音を電気信号に変換して出力するものであり、スピーカ２は外部の通話相手から電話回線等を介して入力された、音声情報を担持した電気信号を音声等の音に変換して出力するものである。
【００２８】
カールコード５には、２本の入力信号線４ａ，４ｂと、２本の出力信号線３ａ，３ｂとが、規格に準拠した所定の間隔を隔てて互いにほぼ平行に配列されている。それらの配置の組み合わせとしては、出力信号線３ａの隣に入力信号線４ａが配置され、その入力信号線４ａの隣には入力信号線４ｂが配置され、さらにその入力信号線４ｂの隣には出力信号線３ｂが配置されている。このように配列された入力信号線４ａ，４ｂおよび出力信号線３ａ，３ｂは、電気的に外部と絶縁するためにその周囲を軟質の絶縁体からなる被覆材８で被覆されている。出力信号線３ａは、一端がマイクロホン１に接続され、他端が出力増幅器９に接続されている。入力信号線４ａは、一端がスピーカ２に接続され、他端が第１の増幅器６に接続されている。入力信号線４ｂは、一端がスピーカ２に接続され、他端が第２の増幅器７に接続されている。出力信号線３ｂは、一端がマイクロホン１に接続され、他端が接地されている。
【００２９】
出力増幅器９は、マイクロホン１から出力される音声情報を担持した電気信号を一般的な通話用に定められた信号強度に増幅するもので、出力信号線３ａに接続されている。
【００３０】
第１の増幅器６は、２本の入力信号線４ａ，４ｂのうち、通話音声の情報を担持する電気信号が伝送される出力信号線３ａから近い位置に設けられている方の入力信号線４ａに対して、外部から伝送されて来た電気信号を反転入力端子へ入力し、所定の増幅率で増幅するとともに位相を反転させて出力するように接続されたものである。
【００３１】
また第２の増幅器７は、出力信号線３ｂから遠い位置に設けられている方の入力信号線４ｂに接続されて、外部から伝送されて来た電気信号を非反転入力端子へ入力し、第１の増幅器６による増幅率よりも高い増幅率である３倍の増幅率で増幅するとともに、入力と同位相、すなわち、第１の増幅器６の出力とその波形の極性を逆極性にして出力するものである。
【００３２】
第１の増幅器６および第２の増幅器７のいずれも極めて簡易な回路構成として付設される。より具体的には、これらの増幅器は、電子部品として１チップのオペアンプ（演算増幅器）で形成され、これらの第１の増幅器６および第２の増幅器７によってエコーキャンセル回路１１の主要部を構成することができる。
【００３３】
次に、この電話機における動作のうち、特にエコーキャンセル回路１１に関する動作について説明する。図２は、自局側のハンドセット１０、カールコード５、エコーキャンセル回路１１、および通話相手側のスピーカ２２、マイクロホン２１を備えたハンドセット２０、ならびに通話回線３０を、簡易なシステムとしてブロック線図的に示した図である。なお、説明の簡潔化を図るために、図１と同様の各部位については図２においても同一の符号を付して示してある。また図３は、通話音声信号ｓ１，ｓ２、音声信号Ｓ２ａ，Ｓ２ｂ、クロストーク波形ＳＸａ，ＳＸｂのそれぞれを模式的に示す波形図（簡易タイミングチャート）である。ここでは、従来の電話機において自局側の電話機のハンドセット１０に生じる電磁気的クロストークに起因して通話相手側に発生していたエコーを、本実施の形態に係るエコーキャンセル回路１１によって解消する場合を一例として説明する。
【００３４】
いま、通話相手側から図２に示すような通話音声信号ｓ２が送出される一方、自局側から通話音声信号ｓ１が送出されたとする。通話相手側から送出された通話音声信号ｓ２は、通話回線３０を伝送されるうちにその回路に固有の伝送遅延を生じつつ自局側に到達する。
【００３５】
自局側では、この通話音声信号ｓ２を第１の増幅器６が所定の増幅率Ｇ１で反転増幅して音声信号Ｓ２ａとし、これを入力信号線４ａに送出する。またこのとき、同じ通話音声信号ｓ２を、第２の増幅器７が増幅率Ｇ１の３倍の増幅率Ｇ２で同位相で増幅し音声信号Ｓ２ｂとし、これを入力信号線４ｂに送出する。
【００３６】
このようにして、入力信号線４ａには音声信号Ｓ２ａが、入力信号線４ｂにはその逆相の音声信号Ｓ２ｂが、それぞれ印加される。するとこのとき、出力信号線３ａに対して最も近接した入力信号線４ａの音声信号Ｓ２ａに起因して、出力信号線３ａ中を伝送される通話音声信号ｓ１の信号波形にクロストーク波形ＳＸａが不可避的に発生する。
【００３７】
しかしまたその一方で、出力信号線３ａに対して入力信号線４ａよりも遠い位置の入力信号線４ｂから、音声信号Ｓ２ａの３倍の増幅率で大きな振幅に増幅された音声信号Ｓ２ｂによって、出力信号線３ａ中を伝送される通話音声信号ｓ１の信号波形に、前記のクロストーク波形ＳＸａとは逆極性でかつその振幅がほぼ等しいクロストーク波形ＳＸｂが生じる。
【００３８】
このような互いに逆極性で振幅の等しい２つのクロストーク波形ＳＸａとクロストーク波形ＳＸｂとが、一つの出力信号線３ａ内で重畳して互いに打ち消し合う。これにより、出力信号線３ａに対する入力信号線４ａおよび入力信号線４ｂからの電磁気的クロストークを解消することができ、その結果、通話相手側のエコーの発生を解消することができる。
【００３９】
しかもこのとき、スピーカ２に入力される信号波形の振幅は、音声信号Ｓ２ａと音声信号Ｓ２ｂとが重畳して、元の入力信号であるＳ２の合計４倍に増幅されたことになるので、音声出力のゲインをさらに高めるという利点も達成することができる。
【００４０】
ここで、クロストーク波形ＳＸｂの振幅がクロストーク波形ＳＸａとほぼ等しくなるようにするために、出力信号線３ａから遠い方の入力信号線４ｂに印加する音声信号Ｓ２ｂの増幅率を、出力信号線３ａから近い方の入力信号線４ａに印加する音声信号Ｓ２ａの増幅率よりも高い３倍という増幅率としたのである。すなわち、電磁気的遠隔作用は一般にその距離の２乗で低減する。従って、出力信号線３ａに対して遠い入力信号線４ｂからのクロストークの強さを、出力信号線３ａに対して近い入力信号線４ａからのクロストークの強さと等しくするためには、入力信号線４ｂに印加する信号波形の振幅を入力信号線４ａに印加される信号波形よりも大きな振幅に増幅することが少なくとも必要であり、さらに詳細なそれらの増幅率の比率は、その出力信号線３ａに対する入力信号線４ａと入力信号線４ｂとの位置関係（距離の比率）やそれらの間に介挿されている被覆材の誘電率等に依存して定まる。そこで本発明者は、規格に準拠した一般的なカールコードや接続配線における最適な増幅率の比率を種々の実験等によって調べた結果、第１の増幅器６の増幅率と第２の増幅器７の増幅率との比を１：３ないし１：４にすることが望ましいものであることを確認した。ただしこの比率のみに限定されないことはいうまでもなく、要するに出力信号線３ａに対して遠い入力信号線４ｂからのクロストークの強さを、出力信号線３ａに対して近い入力信号線４ａからのクロストークの強さと等しくすることができるような増幅率に設定することが望ましい。
【００４１】
なお、エコーキャンセル回路１１は上記のように極めて簡易な素子で形成することができるので、一般にカールコード５の端部に設けられている接続ターミナル（図示省略）内にこのエコーキャンセル回路１１を付設することも可能である（これが本実施の形態では請求項５，６のハンドセット用信号線に該当するものである）。このようにエコーキャンセル回路１１をカールコード５に付設することにより、一般的な電話機のカールコードの部分のみを、本実施の形態に係るエコーキャンセル回路１１が付設されたカールコード５に取り替えるという極めて簡易な改造手法のみによって、煩雑な通信回路系の改造等を全く要することなく、エコーの発生を解消することが可能となる。
【００４２】
あるいは、上記のようなエコーキャンセル回路１１を、カールコード１１の接続ターミナルに外付け可能なアダプタとして形成してもよい。
【００４３】
また、通話相手側の電話機にも本実施の形態に係るエコーキャンセル回路１１を設けることにより、自局側に聞こえるエコーを解消するようにしてもよいことは言うまでもない。
【００４４】
【発明の効果】
以上説明したように本発明によれば、極めて簡易かつ低コストな手法によって、カールコード内でのクロストークおよび通話回線経路中での伝達遅延に起因したエコーの発生を解消することができる。
【図面の簡単な説明】
【図１】本発明の一実施の形態に係る電話機の概要構成を、特にそのハンドセットおよびカールコードの部分を中心として模式的に示す図である。
【図２】本発明の一実施の形態に係る電話機および通話相手側のハンドセット２０ならびに通話回線３０を簡易なシステムとしてブロック線図的に示す図である。
【図３】通話音声信号ｓ１，ｓ２、音声信号Ｓ２ａ，Ｓ２ｂ、クロストーク波形ＳＸａ，ＳＸｂのそれぞれを模式的に示す波形図である。
【図４】電話機等におけるカールコードを中心とした電気的な回路構成を模式的に示す図である。
【符号の説明】
１    マイクロホン
２    スピーカ
５    カールコード
１１    エコーキャンセル回路
【図１】
0004177946.tif 000002
【図２】
0004177946.tif 000003
【図３】
0004177946.tif 000004
【図４】
0004177946.tif 000005